(57)【特許請求の範囲】
【請求項１】
横幅方向へ開閉動作するように吊り下げられるとともに下端部に開閉方向へ連続するガイド溝を有する引戸本体と、前記ガイド溝に対し下方側から挿入されて前記引戸本体を開閉方向へ案内するガイド部材とを備えた吊式引戸装置において、
前記引戸本体の戸尻側端部における下端側に、前記ガイド溝の戸尻側端部の開口を開閉可能に閉鎖する蓋部材が設けられ、
前記ガイド部材は、前記ガイド溝に対し下方側から挿入されたガイド部と、該ガイド部を支持する支持片部とを備え、
前記支持片部は、前記引戸本体の下端部と該下端部に対向する床面又は下枠との間の隙間を通って、全閉状態の前記引戸本体における前記ガイド溝よりも引戸開放方向側へ突出しており、この突出部分が引戸本体外の不動部位に着脱可能に止着され、
前記不動部位が、全閉時の前記引戸本体における戸尻側端部に対し戸厚方向に重なり合う縦柱であり、
前記支持片部には、前記引戸本体よりも前記縦柱側で上方へ突出した立上がり片部が設けられ、
前記縦柱には、前記立上がり片部に対し戸厚方向における引戸本体側から重なり合うように係止片部が設けられていることを特徴とする吊式引戸装置。
【請求項２】
横幅方向へ開閉動作するように吊り下げられるとともに下端部に開閉方向へ連続するガイド溝を有する引戸本体と、前記ガイド溝に対し下方側から挿入されて前記引戸本体を開閉方向へ案内するガイド部材とを備えた吊式引戸装置において、
前記引戸本体の戸尻側端部における下端側に、前記ガイド溝の戸尻側端部の開口を開閉可能に閉鎖する蓋部材が設けられ、
前記ガイド部材は、前記ガイド溝に対し下方側から挿入されたガイド部と、該ガイド部を支持する支持片部とを備え、
前記支持片部は、前記引戸本体の下端部と該下端部に対向する床面又は下枠との間の隙間を通って、全閉状態の前記引戸本体における前記ガイド溝よりも引戸開放方向側へ突出しており、この突出部分が引戸本体外の不動部位に着脱可能に止着され、
前記引戸本体の下端側には、全閉状態の前記引戸本体を戸厚方向へ貫通して前記縦柱に臨むように切欠部が設けられ、
前記蓋部材は、前記切欠部を塞ぐように設けられていることを特徴とする吊式引戸装置。
【請求項３】
前記不動部位が、全閉時の前記引戸本体における戸尻側端部に対し戸厚方向に重なり合う縦柱であることを特徴とする請求項２記載の吊式引戸装置。
【請求項４】
前記支持片部を前記引戸本体の戸尻側端部よりも引戸開放方向側へ突出させたことを特徴とする請求項１〜３何れか１項記載の吊式引戸装置。
【請求項５】
前記支持片部が、床面又は下枠に沿う底面部を有し、
前記蓋部材の引戸開放方向側の端部は、前記引戸本体の全閉状態において前記底面部よりも引戸開放方向側に位置することを特徴とする請求項１〜４何れか１項記載の吊式引戸装置。
【発明の詳細な説明】
【技術分野】
【０００１】
本発明は、吊り下げられた引戸本体を横幅方向へ開閉動作するようにした吊式引戸装置に関するものである。
【背景技術】
【０００２】
従来、この種の発明には、例えば特許文献１に記載のもののように、横幅方向へ連続するガイドレール（１１ｃ）と、該ガイドレールに吊り下げられ案内されて開閉動作する引戸本体（２１）と、該引戸本体の下端側で開閉方向へ連続するガイド溝（骨材２１ｈ）に対し下方側から挿入されて前記引戸本体が戸厚方向へ振れるのを防ぐガイド部材（ガイドローラ２６）とを備えた吊式引戸装置がある。
ところで、このような引戸装置において、前記ガイド部材は、前記引戸本体の前記ガイド溝内に位置しており、外部に露出していない。
このため、前記ガイド部材が故障や損傷等し、このガイド部材を交換する場合には、前記引戸本体を前記ガイドレールから外さなければならず、その作業が大掛かりになってしまう場合がある。
【先行技術文献】
【特許文献】
【０００３】
【特許文献１】特開２０１４−２１１０３８号公報
【発明の概要】
【発明が解決しようとする課題】
【０００４】
本発明は上記従来事情に鑑みてなされたものであり、ガイド部材の交換を容易に行うことができる吊式引戸装置を提供することにある。
【課題を解決するための手段】
【０００５】
上記課題を解決するための一手段は、横幅方向へ開閉動作するように吊り下げられるとともに下端部に開閉方向へ連続するガイド溝を有する引戸本体と、前記ガイド溝に対し下方側から挿入されて前記引戸本体を開閉方向へ案内するガイド部材とを備えた吊式引戸装置において、前記引戸本体の戸尻側端部における下端側に、前記ガイド溝の戸尻側端部の開口を開閉可能に閉鎖する蓋部材が設けられ、前記ガイド部材は、前記ガイド溝に対し下方側から挿入されたガイド部と、該ガイド部を支持する支持片部とを備え、前記支持片部は、前記引戸本体の下端部と該下端部に対向する床面又は下枠との間の隙間を通って、全閉状態の前記引戸本体における前記ガイド溝よりも引戸開放方向側へ突出しており、この突出部分が引戸本体外の不動部位に着脱可能に止着され、前記不動部位が、全閉時の前記引戸本体における戸尻側端部に対し戸厚方向に重なり合う縦柱であり、前記支持片部には、前記引戸本体よりも前記縦柱側で上方へ突出した立上がり片部が設けられ、前記縦柱には、前記立上がり片部に対し戸厚方向における引戸本体側から重なり合うように係止片部が設けられていることを特徴とする。
また、他の手段としては、横幅方向へ開閉動作するように吊り下げられるとともに下端部に開閉方向へ連続するガイド溝を有する引戸本体と、前記ガイド溝に対し下方側から挿入されて前記引戸本体を開閉方向へ案内するガイド部材とを備えた吊式引戸装置において、前記引戸本体の戸尻側端部における下端側に、前記ガイド溝の戸尻側端部の開口を開閉可能に閉鎖する蓋部材が設けられ、前記ガイド部材は、前記ガイド溝に対し下方側から挿入されたガイド部と、該ガイド部を支持する支持片部とを備え、前記支持片部は、前記引戸本体の下端部と該下端部に対向する床面又は下枠との間の隙間を通って、全閉状態の前記引戸本体における前記ガイド溝よりも引戸開放方向側へ突出しており、この突出部分が引戸本体外の不動部位に着脱可能に止着され、前記引戸本体の下端側には、全閉状態の前記引戸本体を戸厚方向へ貫通して前記縦柱に臨むように切欠部が設けられ、前記蓋部材は、前記切欠部を塞ぐように設けられていることを特徴とする。

【発明の効果】
【０００６】
本発明は、以上説明したように構成されているので、ガイド部材の交換を容易に行うことができる。
【図面の簡単な説明】
【０００７】
【図１】本発明に係る吊式引戸装置の一例を示す正面図である。
【図２】図１における（II）−（II）線に沿う断面図である。
【図３】図１における（III）−（III）線に沿う断面図である。
【図４】図１における（IV）−（IV）線に沿う断面図である。
【図５】同吊式引戸装置の要部拡大図であり、ガイド部材を取り外した状態を二点鎖線で示している。
【図６】ガイド部材を取り外した状態を示す要部拡大斜視図である。
【図７】本発明に係る吊式引戸装置の他例を示す要部拡大正面図であり、ガイド部材を取り外した状態を二点鎖線で示している。
【発明を実施するための形態】
【０００８】
本実施の形態の第一の特徴は、横幅方向へ開閉動作するように吊り下げられるとともに下端部に開閉方向へ連続するガイド溝を有する引戸本体と、前記ガイド溝に対し下方側から挿入されて前記引戸本体を開閉方向へ案内するガイド部材とを備えた吊式引戸装置において、前記引戸本体の戸尻側端部における下端側に、前記ガイド溝の戸尻側端部の開口を開閉可能に閉鎖する蓋部材が設けられ、前記ガイド部材は、前記ガイド溝に対し下方側から挿入されたガイド部と、該ガイド部を支持する支持片部とを備え、前記支持片部は、前記引戸本体の下端部と該下端部に対向する部位との間の隙間を通って、全閉状態の前記引戸本体における前記ガイド溝よりも引戸開放方向側へ突出しており、この突出部分が引戸本体外の不動部位に着脱可能に止着されている。
ここで、前記「ガイド部」には、前記ガイド溝内の側面に摺接する態様や、前記ガイド溝内の側面に沿ってローラ部材を転動させるようにした態様等を含む。
また、前記「不動部位」とは、開閉動作する前記引戸本体に対し移動しない部位を意味し、この「不動部位」には、床面や、下枠、縦柱等を含む。
前記構成によれば、前記蓋部材を外して、前記ガイド部材の前記支持片部を前記ガイド溝よりも引戸開放方向側で外すことができ、さらには、前記ガイド部材を、前記ガイド溝から開放方向側へ引き出すことができる。また、逆の手順により前記ガイド部材を装着することもできる。よって、ガイド部材の着脱の際、引戸本体が着脱作業の邪魔になるようなことを防ぐことができる。
【０００９】
第二の特徴としては、ガイド部材の着脱作業をより容易にするために、前記支持片部を前記引戸本体の戸尻側端部よりも引戸開放方向側へ突出させた（図５参照）。
【００１０】
第三の特徴としては、ガイド部材の着脱作業をより容易にするために、前記不動部位を、全閉時の前記引戸本体における戸尻側端部に対し戸厚方向に重なり合う縦柱とした（図４及び図５参照）。
【００１１】
第四の特徴としては、ガイド部材の戸厚方向の強度を向上するために、前記支持片部に、前記引戸本体よりも前記縦柱側で上方へ突出した立上がり片部を設け、前記縦柱には、前記立上がり片部に対し戸厚方向における引戸本体側から重なり合うように係止片部を設けた。
【００１２】
第五の特徴としては、ガイド部材の止着部分が露出しないようにするために、前記引戸本体の下端側に、全閉状態の前記引戸本体を戸厚方向へ貫通して前記縦柱に臨むように切欠部を設け、前記蓋部材が、前記切欠部を塞ぐように設けられている（図７参照）。
【実施例】
【００１３】
次に、上記特徴を有する好ましい実施例を、図面に基づいて詳細に説明する。
【００１４】
この吊式引戸装置Ａは、左右の側柱１１，１２と、これら左右の側柱１１，１２の上端部間に接続された無目１３と、前記左右の側柱１１，１２間の中央寄りに設けられた縦柱１４（不動部位）と、無目１３内に吊り下げられて左右方向へ開閉動作する引戸２０と、該引戸２０の下端側が戸厚方向へ振れるのを抑制するガイド部材３０とを具備している。
なお、図示例において、右とは、引戸２０の開放方向（言い換えれば、戸尻方向）を意味し、左とは引戸２０の閉鎖方向（言い換えれば、戸先方向）を意味する。これらの方向は、引戸２０の閉鎖方向等に応じて、逆に定義することも可能である。
【００１５】
側柱１１，１２は、引戸２０の開閉動作領域を間に置くようにしてその両側に設けられた柱状部材である。各側柱１１（又は１２）は、建築躯体の開口部の内側縁に、図示しないアンカー等を介して固定されている。
【００１６】
無目１３は、側柱１１，１２の上端部間にわたって水平状に設けられた中空箱状の部材である（図２参照）。この無目１３内部には、引戸２０を吊るして左右方向へ案内するガイドレール１５が固定されている。このガイドレール１５は、引戸開閉方向へ連続する断面Ｌ字状の長尺部材である。
なお、図２中、符号１６は、ガイドレール１５を無目１３内面に固定する支持ブラケットである。また、符号１７は、引戸２０によって開閉される開口部の屋外側に設けられた三方枠である。
【００１７】
縦柱１４は、全閉時の引戸２０における戸尻側端部に対し戸厚方向に重なり合う長尺状の部材であり、その上下端側が、無目１３及び床面等の不動部位に接続されている。
この縦柱１４は、後述するガイド部材３０の支持片部３２が止着される被止着片部１４ａと、ガイド部材３０を係止するための係止片部１４ｂとを一体に具備している（図６参照）。
【００１８】
被止着片部１４ａは、図４及び図６に示すように、縦柱１４の右半部側を、開口を奥側へ向けた横断面凹状に形成することで（言い換えれば、縦柱１４における閉鎖方向側の部分を、引戸２０面側とは反対側へ開口を向けた横断面凹状に形成することで）、その表部側（すなわち、引戸２０面側）に形成された平坦面状の部分である。この被止着片部１４ａは、ガイド部材３０を止着するための止着具１（例えば、ネジやボルト等）を挿通する止着孔１４ａ１を複数有する。本実施例によれば、図４に示すように、止着具１は、被止着片部１４ａに挿入され、その裏側の板材２に螺合される。同図４中の符号４は、補強部材である。
なお、他例としては、板材２を省き、止着具１を被止着片部１４ａに対し直接螺合接続することも可能である。
また、ガイド部材３０の止着は、ネジやボルト等の止着具１による止着とするのが強固で、比較的容易であり且つ着脱可能であることから好ましいが、強度上等で支障がなければ、係合や嵌合等による止着とすることも可能である。さらには、作業上の支障等がなければ接着剤や両面テープを用いた止着とすることも可能である。
【００１９】
係止片部１４ｂは、図４及び図６に示すように、縦柱１４の左半部側を、開口を手前側へ向けた横断面略フック状に形成することで（言い換えれば、縦柱１４における開放方向側の部分を、引戸２０面側へ開口を向けた断面略フック状に形成することで）、その先端側に形成された平坦面状の部分である。
この係止片部１４ｂの下端側は、後述する支持片部３２の底面部３２ａを挿通するように、切欠されている。そして、この係止片部１４ｂは、被止着片部１４ａよりも引戸２０側（屋内側）で、支持片部３２の立上がり片部３２ｂに重なり合う（図４参照）。
【００２０】
引戸２０は、矩形状の引戸本体２１、該引戸本体２１をガイドレール１５に吊るす吊車２２（図２参照）、戸先側に設けられた施錠機構２３及び取っ手２４等から構成される。
【００２１】
引戸本体２１は、正面視矩形状の表板２１ａと裏板２１ｂの間に、芯材２１ｃ及び骨材２１ｄ等を挟んで構成される。
骨材２１ｄは、断面凹状の長尺部材であり、引戸本体２１内における上下辺側と左右辺側にそれぞれ設けられる。下辺側の骨材２１ｄは、図２に示すように、下方を開口するとともに引戸横幅方向へ連続して設けられ、その内面を、ガイド部材３０によって案内されるガイド溝２１ｄ１としている。
【００２２】
ガイド溝２１ｄ１は、引戸本体２１の下端側において、引戸本体２１の横幅方向の略全長にわたって設けられる。このガイド溝２１ｄ１の戸尻側の端部は、開口しており、この開口は、ガイド部材３０のガイド部３１（ガイドローラ）を挿通可能に形成され、蓋部材２１ｅによって開放可能に閉鎖されている。
【００２３】
蓋部材２１ｅは、ガイド溝２１ｄ１の前記開口を塞いだ状態で、表板２１ａ及び裏板２１ｂの戸尻側端部に対し外側から嵌り合う断面凹状の部材であり、戸尻側端部の骨材２１ｄに対し、止着具１（例えばネジやボルト等）によって着脱可能に止着されている。
なお、図示例によれば、表板２１ａ及び裏板２１ｂの戸尻側端部の下端側を部分的に蓋部材２１ｅによって覆うようにしたが、他例としては、表板２１ａ及び裏板２１ｂの戸尻側端部を上端から下端まで連続して覆う被覆部材を設け、この被覆部材を前記同様の蓋部材とし、骨材２１ｄに対し着脱可能に止着するようにしてもよい。
【００２４】
ガイド部材３０は、ガイド溝２１ｄ１に対し下方側から挿入されたガイド部３１と、該ガイド部３１を支持する支持片部３２とを備える。
【００２５】
ガイド部３１は、図示例によれば、直立する軸部材３３に対し回転自在にはめ合わせられたガイドローラであり、ガイド溝２１ｄ１の内面に沿って転動する。
前記軸部材３３の下端側は、平板状の基板３４に固定され、該基板３４は、支持片部３２に固定されている。
【００２６】
支持片部３２は、引戸２０下端に対向する部位（例えば、床面や下枠など）に沿う平板状の底面部３２ａと、該底面部３２ａの縦柱１４側の端部から上方へ立ち上がった立上がり片部３２ｂとを有する断面略Ｌ字状に形成される。
【００２７】
底面部３２ａは、引戸本体２１の下端と、該下端に対向する部位との間に位置するとともに、縦柱１４側へ延びる平板状の部位である。
【００２８】
立上がり片部３２ｂは、底面部３２ａの縦柱１４側の端部から上方へ立ち上がった平板状の部位である。この立上がり片部３２ｂの戸先方向端部側は、縦柱１４の係止片部１４ｂ内面に重なり合う（図４参照）。
また、同立上がり片部３２ｂの戸尻方向端部側には、止着具１を挿通するための貫通孔３２ｂ１が複数設けられる。立上がり片部３２ｂは、縦柱１４の被止着片部１４ａに重ね合わせられ、貫通孔３２ｂ１に挿通される止着具１によって縦柱１４に止着固定される。
【００２９】
次に、上記構成の吊式引戸装置Ａについて、その特徴的な作用効果を詳細に説明する。
ガイド部材３０の損傷等に起因して、ガイド部材３０を交換する必要が生じた場合、引戸２０が全閉状態にされ、引戸２０の戸尻の下端側に止着された止着具１が緩められ外され、ガイド溝２１ｄ１の戸尻側端部の開口が開放される。
次に、ガイド部材３０を縦柱１４に止着している止着具１が外され、ガイド部材３０が戸尻方向へ引き出される。この際、ガイド部材３０の底面部３２ａは、引戸本体２１下端と、該下端に対向する部位（例えば、床面や下枠面等）との隙間に通されて、戸尻方向へ移動される。また、ガイド部材３０の立上がり片部３２ｂは、縦柱１４の係止片部１４ｂ内側から戸尻方向へ引き出される。そして、これらに伴って、ガイド部３１がガイド溝２１ｄ１から戸尻側へ引き出される。
なお、前記作業において、蓋部材２１ｅを引戸本体２１から外す作業と、ガイド部材３０を縦柱１４から外す作業は、逆の順番であってもよい。
【００３０】
また、新しいガイド部材３０を装着する際には、前記と逆の作業を行えばよい。
すなわち、ガイド部材３０のガイド部３１を、ガイド溝２１ｄ１の戸尻側端部の開口からその内部へ挿入する。この際、ガイド部材３０の底面部３２ａを、引戸本体２１下端と、該下端に対向する床面等との間に挿通し、同ガイド部材３０の立上がり片部３２ｂを、縦柱１４の係止片部１４ｂの内側へ差し込む。
【００３１】
よって、吊式引戸装置Ａによれば、前述したように、引戸２０を取り外すことなく、ガイド部材３０の交換を容易に行うことができる。
【００３２】
また、ガイド部材３０の立上がり片部３２ｂが縦柱１４の係止片部１４ｂに係止されているため、引戸２０の下端側及びガイド部材３０に屋内側（図２によれば右方向側）への力が加わった場合でも、ガイド部材３０の止着箇所が外れたり損傷したりするのを防ぐことができる。
【００３３】
次に、図７に要部を示す吊式引戸装置Ｂについて説明する。この吊式引戸装置Ｂは、吊式引戸装置Ａに対し一部を変更したものであるため、その変更部分について主に詳述し、重複する詳細説明は省略する。
【００３４】
吊式引戸装置Ｂは、上記吊式引戸装置Ａに対し、引戸２０を引戸２０’に、蓋部材２１ｅを蓋部材２１ｅ’に、ガイド部材３０をガイド部材３０’に、それぞれ置換したものである。
【００３５】
引戸２０’における引戸本体２１の戸尻寄りの下端側には、該引戸２０’の全閉状態において、引戸本体２１を戸厚方向へ貫通して縦柱１４に臨むように切欠部２１ｆが設けられる。
【００３６】
蓋部材２１ｅ’は、引戸本体２１の戸尻側端部を覆う横断面凹状に形成され、戸厚方向両端側の片部２１ｅ１’を戸先方向へ延設するとともに、該片部２１ｅ１’により切欠部２１ｆを塞いでいる。
【００３７】
ガイド部材３０’は、縦柱１４に対する立上がり片部３２ｂの止着位置を、全閉状態の引戸２０’における切欠部２１ｆに対応するように配置している。すなわち、このガイド部材３０’の立上がり片部３２ｂは、止着具１を挿通するための貫通孔３２ｂ１を、切欠部２１ｆに対応するように配置している。
【００３８】
よって、上記構成の吊式引戸装置Ｂによれば、通常時は、ガイド部材３０’の止着部分を外部から視認されないように、蓋部材２１ｅ’によって隠すことができる。
また、ガイド部材３０’の交換の際には、図７に示すように、引戸２０’の全閉状態において蓋部材２１ｅ’を外せば、切欠部２１ｆを介して、ガイド部材３０’の止着部分（止着具１の頭部）を露出させることができ、この状態で、止着具１を外して、ガイド部材３０’を交換することができる。
【００３９】
なお、上記実施例によれば、ガイド部３１をガイド溝２１ｄ１内面に沿って転動するガイドローラとしたが、他例としては、転動せずにガイド溝２１ｄ１内面に摺接する部材とすることも可能である。
【００４０】
また、上記実施例によれば、ガイド部材３０を縦柱１４に止着したが、他例としては、ガイド部材３０を床面や下枠等に止着することも可能である。すなわち、この他例では、ガイド部材３０における底面部３２ａを、引戸本体２１の戸尻側端部よりも引戸開放方向側に延設し、この延設部分を、床面又は下枠に止着具１によって止着すればよい。この他例においても、止着具１が引戸本体２１の戸尻側端部よりも引戸開放方向側に露出されるため、止着具１の着脱及びガイド部材３０の交換を容易に行うことができる。
【００４１】
また、上記実施例によれば、蓋部材２１ｅを着脱可能に具備したが、他例としては、蓋部材２１ｅを引戸本体２１に対しヒンジを介して止着することで、該蓋部材２１ｅが開閉回動する態様とすることも可能である。
【符号の説明】
【００４２】
１：止着具
１４：縦柱（不動部位）
２０，２０’：引戸
２１：引戸本体
２１ｄ１：ガイド溝
２１ｅ，２１ｅ’：蓋部材
３０，３０’：ガイド部材
３１：ガイド部
３２：支持片部
Ａ，Ｂ：吊式引戸装置
【図１】
0006554326.tif 000002
【図２】
0006554326.tif 000003
【図３】
0006554326.tif 000004
【図４】
0006554326.tif 000005
【図５】
0006554326.tif 000006
【図６】
0006554326.tif 000007
【図７】
0006554326.tif 000008